(57)【要約】【課題】多彩な方法でメダルの投入を行う。【解決手段】メダル投入孔２０からメダルを投入する場合、例えば起立された状態のメダル３３を束にし、束のメダル３３をメダル投入部材１５の上面に載せる。そして、束のメダル３３をメダル投入孔２０に向かうように水平方向（図４中矢印Ａ方向）にスライドさせる。メダル投入部材１５と操作パネル１３との隙間からメダルを投入する場合、斜めに起立された状態のメダル３４を束にし、束のメダル３４を操作パネル１３と接地する部分がメダル投入部材１５と操作パネル１３との間に進入するように、水平方向（図中矢印Ｂ方向）にスライドさせる。【選択図】        図４
2006043355.tif 000002
【特許請求の範囲】
【請求項１】
筐体を開閉する扉の前面側に突出した略水平な操作パネルに設けられたメダル投入口から起立した状態のメダルを投入して遊技が行われる遊技機において、
前記操作パネルの上方に前記操作パネルとメダルの厚み一枚分以上離間するとともに、前記扉の前面側に突出するように配置され、起立した状態のメダルを通過させて前記メダル投入口に導くメダル投入部材を備え、
前記メダル投入部材の前記操作パネルと対面する面に、前記メダル投入部材の先端から前記メダル投入孔に近づくにつれて次第に前記操作パネルとの距離が小さくなるように傾斜をつけたことを特徴とする遊技機。
【請求項２】
前記メダル投入部材の両側方に、前記メダル投入部材の上面からの高さがメダルの直径以上の側壁を設けたことを特徴とする遊技機。
【請求項３】
前記扉を上扉と下扉とに分割するとともに、前記上扉を閉じてから前記下扉が閉じられるようにし、
前記上扉の厚みを下扉よりも厚くするとともに、前記上扉と前記下扉とを閉じた状態で、前記上扉の下面が前記下扉の上面よりも前記筐体の内部側にずれるように前記上扉と前記下扉とを前記筐体に取り付け、
前記上扉の下面で前記下扉の上面からずれた部分に下方に突出する突出部を形成するとともに、前記下扉に前記メダル投入部材を貫通させることが可能な投入部材挿入孔を形成し、
前記メダル投入部材の後端側の端面に、前記端面よりも幅が広い台座を設け、前記メダル投入部材を前記投入部材挿入孔に挿入した状態で、前記台座の前記メダル投入部材が取り付けられている面と前記下扉の背面とをバネによって連結するとともに、
前記下扉を閉じると、前記突出部によって前記台座が背面から押圧されて前記メダル投入部材が前記投入部材挿入孔から前記下扉の前面側に突出して、メダルを前記メダル投入口に前記メダル投入孔を介して投入可能となり、前記下扉を開放すると、前記メダル投入部材が前記投入部材挿入孔から前記下扉の背面側に突出して、前記メダル投入口を開放させることを特徴とする請求項１又は２記載の遊技機。
【発明の詳細な説明】
【技術分野】
【０００１】
本発明は、メダルを投入して遊技が行われる遊技機に関するものである。
【背景技術】
【０００２】
本明細書中では遊技機の１つとしてパチスロ機を例に挙げて説明しているため、遊技媒体としてメダルを用いて説明するが、遊技媒体としてはコインやパチンコ玉など他の媒体も含む。また、「メダル（遊技媒体）投入」には、実際にメダル投入口にメダルを投入することの他に、クレジットされたメダルをベットボタンなどによりベットすることを含む。さらに、図柄を入賞有効ライン上に揃えた状態を入賞、入賞となる前の状態で、当選役を決定する抽選（以下、当選役抽選と称する）により当選役が抽選されている状態を内部入賞とする。
【０００３】
パチンコ店などの遊技場に設置して使用されるスロットマシンはパチスロ機と称されている。このようなスロットマシンでは、一般に、メダルが起立された状態で一枚ずつメダル投入口に投入され、遊技が行われる。メダルの投入は遊技ごとに行われるため、最近のスロットマシンでは、例えばメダル投入口に延びるガイド溝を形成し、メダルを束にした状態で連続的に投入しやすくするなど、メダルの投入をスムーズに行うための工夫がなされている。また、１つの投入口に異なる大きさのメダルを投入できるようにする、あるいは、メダルを投入する方向に変化をつけて手首の疲労を軽減する、あるいは、ガイド溝の傾斜方向やガイド溝の両側壁の高さを異ならせて、メダルを投入しやすくするなど、メダルの投入をスムーズに行わせ、遊技を効率良く行うことを可能にするための提案が数多くなされている。
【発明の開示】
【発明が解決しようとする課題】
【０００４】
しかしながら、上記の従来の技術では、メダルを束にして投入する場合、あるいは、メダルを一枚ずつ投入する場合のいずれの場合においても、メダルが投入される方向は一定の方向であるため、メダルを投入する方法は一通りの方法に限定され、メダルの投入を行う際の動作が単調になってしまうという問題があった。このことは、遊技が単調になって遊技に飽きがくる一因となっていた。
【０００５】
ところで、近年、正規の方法とは異なる方法によってメダルの投入を行う、いわゆる、ゴト行為が行われることがある。メダルの投入を不正に行うゴト行為を行う際に用いられる器具（以下、「ゴト器具」と称する）の１つとして、例えばメダル投入口に挿入することが可能な板状の部材に複数のＬＥＤを直列に配置し、複数のＬＥＤがそれぞれ異なるタイミングで点滅するように制御されるものが知られている。このゴト器具をメダル投入口から挿入してＬＥＤをメダルセレクターの光電センサと対面させると、ＬＥＤの点滅によって光電センサにメダルが通過したことを誤って検知させることができ、これにより、実際にメダルの投入を行うことなくメダルを投入することができる。ゴト器具を用いてメダルの投入を行った遊技者は、クレジットされたメダルを引き出す、あるいは、投入したメダルによって遊技を行うなどの行為によって不正に利益を得ることができる。ゴト行為によって一部の遊技者が不正に利益を得ることは、遊技場の利益に損失が生じるばかりか、公平な遊技を行うことができないことを理由に遊技者の遊技への興味を失わせてしまうこともあり、ゴト行為を防止する機能をスロットマシンに付加することは、スロットマシンメーカーにとって大きな課題の１つとなっている。このため、ゴト行為を防止するために、例えばメダル投入口の上方に屋根を設けるなどが提案されているが、この提案では、ゴト行為を防止できる反面、メダルを投入する方法が単調になってしまうという欠点がある。
【０００６】
本発明は、上記問題点を解決するためになされたものであり、多彩な方法でメダルの投入を行うことができるようにした遊技機を提供することを目的とする。
【課題を解決するための手段】
【０００７】
請求項１記載の遊技機は、筐体を開閉する扉の前面側に突出した略水平な操作パネルに設けられたメダル投入口から起立した状態のメダルを投入して遊技が行われる遊技機において、前記操作パネルの上方に前記操作パネルとメダルの厚み一枚分以上離間するとともに、前記扉の前面側に突出するように配置され、起立した状態のメダルを通過させて前記メダル投入口に導くメダル投入部材を備え、前記メダル投入部材の前記操作パネルと対面する面に、前記メダル投入部材の先端から前記メダル投入孔に近づくにつれて次第に前記操作パネルとの距離が小さくなるように傾斜をつけたものである。
【０００８】
請求項２記載の遊技機は、前記メダル投入部材の両側方に、前記メダル投入部材の上面からの高さがメダルの直径以上の側壁を設けたものである。
【０００９】
請求項３記載の遊技機は、前記扉を上扉と下扉とに分割するとともに、前記上扉を閉じてから前記下扉が閉じられるようにし、前記上扉の厚みを下扉よりも厚くするとともに、前記上扉と前記下扉とを閉じた状態で、前記上扉の下面が前記下扉の上面よりも前記筐体の内部側にずれるように前記上扉と前記下扉とを前記筐体に取り付け、前記上扉の下面で前記下扉の上面からずれた部分に下方に突出する突出部を形成するとともに、前記下扉に前記メダル投入部材を貫通させることが可能な投入部材挿入孔を形成し、前記メダル投入部材の後端側の端面に、前記端面よりも幅が広い台座を設け、前記メダル投入部材を前記投入部材挿入孔に挿入した状態で、前記台座の前記メダル投入部材が取り付けられている面と前記下扉の背面とをバネによって連結するとともに、前記下扉を閉じると、前記突出部によって前記台座が背面から押圧されて前記メダル投入部材が前記投入部材挿入孔から前記下扉の前面側に突出して、メダルを前記メダル投入口に前記メダル投入孔を介して投入可能となり、前記下扉を開放すると、前記メダル投入部材が前記投入部材挿入孔から前記下扉の背面側に突出して、前記メダル投入口を開放させるものである。
【発明の効果】
【００１０】
操作パネルの上方に操作パネルとメダルの厚み一枚分以上離間するとともに、筐体を開閉する扉の前面側に突出するように配置され、起立した状態のメダルを通過させてメダル投入口に導くメダル投入部材を備え、メダル投入部材の操作パネルと対面する面に、メダル投入部材の先端から前記メダル投入孔に近づくにつれて次第に操作パネルとの距離が小さくなるように傾斜をつけたので、メダル投入孔からの略鉛直方向へのメダルの投入とメダル投入部材と操作パネルとの隙間からの略水平方向へのメダルの投入とを行うことが可能になり、多彩な方法でメダルの投入を行うことができる。そして、メダルを操作パネル上で略鉛直方向に束にした状態でメダル投入部材と操作パネルとの隙間からメダルを投入すると、束のメダルがメダル投入部材の傾斜によって一枚ずつ分離されるため、一度に複数枚のメダルが投入されてもメダルが詰まることを防止できる。
【００１１】
また、前記メダル投入部材の両側方に、前記メダル投入部材の上面からの高さがメダルの直径以上の側壁を設けたので、ゴト器具をメダル投入口に挿入しても側壁と干渉してゴト器具の向きに変化をつけることができなくなるため、ゴト行為を防止できる。
【００１２】
また、下扉を閉じると、上扉の突出部によって台座が背面から押圧されてメダル投入部材が投入部材挿入孔から下扉の前面側に突出してメダル投入孔を介してメダルをメダル投入口に投入可能となるので、下扉を閉じるだけでメダル投入部材を使用することが可能になり、メダル投入部材を位置決めする手間を省くことができる。さらに、下扉を開放すると、メダル投入部材が投入部材挿入孔から下扉の背面側に突出してメダル投入口を開放させるので、下扉を開放したときに、メダル投入口を露呈させることが可能になり、メダル投入口でメダルが詰まった場合にも、メダル詰まりを容易に解消できる。
【発明を実施するための最良の形態】
【００１３】
図１に示すように、スロットマシン１０は前面扉１１と筐体１２とを備えている。前面扉１１は上扉１１ａと下扉１１ｂとから構成されている。下扉１１ｂは、専用のキーによって施錠されており、下扉１１ｂを開放すると上扉１１ａを開放することが可能になる。下扉１１ｂの前面には、その両端部まで延びる略水平な操作パネル１３が設けられている。操作パネル１３には、例えばメダルのベットボタンなど、遊技を行う際に操作される各種のボタンが設けられている。操作パネル１３は、その幅方向における一方の端部（下扉１１ｂに向かって右方の端部）が一段凹んだ形状となっている。操作パネル１３の凹んだ部分にはメダル投入口１４が設けられている。メダル投入口１４は、幅方向及び長手方向の長さがメダルよりも一回り大きい矩形の開口からなり、メダル投入口１４には、メダルの両面が前後を向いた起立した状態のメダルが投入される。
【００１４】
また、下扉１１ｂには、矩形の板からなるメダル投入部材１５が取り付けられている。メダル投入部材１５は、その長手方向がメダル投入口１４の上方で下扉１１の前面側に突出し、かつ、操作パネル１３からメダルの厚み一枚分以上離間するように下扉１１ｂに取り付けられている。
【００１５】
メダル投入部材１５の両側方には操作パネル１３から上方に突出し、かつ、操作パネル１３の奥側の壁から操作パネル１３を横切るように連なる一対の側壁１６が設けられている。側壁１６の奥行きの長さは、メダル投入部材１５の先端よりも前方まで延びるように設定されており、その高さはメダル投入部材１５の上面よりも高くなるように設定されている。このため、メダル投入部材１５は側壁１６によって側方から覆われた状態になっている。
【００１６】
図２に示すように、メダル投入部材１５の上面はその幅方向に亘って曲面状に凹むように形成されている。メダル投入部材１５には、上面側から下面側に貫通するメダル投入孔２０が形成されている。メダル投入孔２０は断面が矩形の板状に形成されており、その断面形状はメダル投入口１４と略同一になっている。メダル投入孔２０からは、メダルの両面が前後を向いた起立した状態のメダルが投入される。メダル投入部材１５の先端からメダル投入孔２０までの長さは、その間の上面に起立した状態のメダルを束にして載せることが可能な長さに設定されている。メダル投入孔２０に投入されたメダルは、メダル投入孔２０を通過してメダル投入口１４に投入される。また、詳しくは後述するように、本実施形態のスロットマシン１０では、メダル投入孔２０に加えて、メダル投入部材１５と操作パネル１３との隙間からメダル投入口１４にメダルを投入することが可能になっている。
【００１７】
メダル投入部材１５の下面（操作パネル１３と対面する面）には、先端からメダル投入孔２０に近づくにつれて次第に下面と操作パネル１３との距離が近くなる階段状の段差部２１が形成されている。段差部２１の各段差は、メダルの厚みよりもやや低くなるように形成されており、段差部２１は３段の段差から構成されている。
【００１８】
メダル投入部材１５の後端側の端面には、この端面よりも幅が広い矩形の板からなる台座２２が一体に設けられている。メダル投入部材１５は台座２２の略中央部に位置するように台座２２の前面と一体にされている。
【００１９】
台座２２の四方の端面には、メダル投入部材１５を取り囲むように、メダル投入部材１５の上方に位置する上壁２３ａ、メダル投入部材１５の側方に位置する側壁２３ｂ，メダル投入部材１５の下方に位置する下壁２３ｃ，メダル投入部材１５の側方に位置する側壁２３ｄが一体に設けられている。側壁２３ｂ、２３ｄ及び下壁２３ｃはそれぞれの高さが同一になっており、上壁２３ａの高さは側壁２３ｂ、２３ｄ及び下壁２３ｃの高さよりも高くなっている。
【００２０】
台座２２の前面には、メダル投入部材１５の上下に位置するように一対のバネ２４が取り付けられている。台座２２にはフック２５が設けられており、下扉１１の背面にはフック２５と同一のフック（図示せず）が設けられている。バネ２４は、メダル投入部材１５が後述する投入部材挿入孔３０（図４参照）に挿入された状態で、一端２４ａをフック２５に係合させ、他端２４ｂを下扉１１ｂのフックに係合させることによって台座２２と下扉１１ｂとに連結される。これにより、台座２２は下扉１１ｂの前面側から背面側に向けて付勢される。バネ２４は台座２２のフック２５と下扉１１ｂのフックとから取り外すだけで交換できるので、バネ２４の交換に伴う作業を効率よく行うことができる。
【００２１】
図３に示すように、操作パネル１３の一段凹んだ部分の奥側の壁には、下扉１１ｂの前面側から背面側に貫通した角柱状の投入部材挿入孔３０が形成されている。投入部材挿入孔３０はメダル投入部材１５よりも一回り大きく形成されている。投入部材挿入孔３０には、メダル投入部材１５が下扉１１ｂの背面側から挿入される。
【００２２】
上扉１１ａの下面及び下扉１１ｂの上面はクランク状に形成されている。上扉１１ａの下面の段差は、上扉１１ａの前面側から背面側に向かって下方に一段突出するように形成されている。下扉１１ｂの上面の段差は、下扉１１ｂの前面側から背面側に向かって一段低くなるように形成されている。このため、下扉１１ｂは、上扉１１ａを閉じた後に閉じることが可能となる。上扉１１ａの段差の部分で下方に一段突出した部分には、上扉１１ａの前面側から背面側に一段凹むように切り欠かれた切り欠き３１が形成されている。切り欠き３１は、上扉１１ａと下扉１１ｂとを閉じた状態で投入部材挿入孔３０の上方に位置するように配置されている。
【００２３】
図４に示すように、上扉１１ａの厚みは下扉１１ｂよりも厚くなっている。そして、上扉１１ａと下扉１１ｂとを閉じた状態で上扉１１ａの下面が下扉１１ｂの上面よりも筐体１２の内部側にずれるように上扉１１ａ及び下扉１１ｂが筐体１２に取り付けられている。なお、上扉１１ａの厚みは、必ずしも全体を下扉１１ｂよりも厚くする必要はなく、上扉１１ａの切り欠き３１が形成された部分が下扉１１ｂの上面よりも筐体１２の内部側にずれれば上扉１１ａの厚みは適宜に設定してよい。
【００２４】
上扉１１ａの下面で下扉１１ｂの上面からずれた部分には、切り欠き３１を背面側から覆うように下方に突出した後壁（突出部）３１ａが形成されている。上扉１１ａが閉じられてから下扉１１ｂが閉じられると、台座２２が背面側から後壁３１ａによって押圧される。これにより、メダル投入部材１５が投入部材挿入孔３０から下扉１１ｂの前面側に突出する。
【００２５】
上扉１１ａ及び下扉１１ｂが閉じられた状態では、側壁２３ｂ、２３ｄ及び下壁２３ｃが下扉１１の背面に押しつけられ、メダル投入部材１５の下扉１１ｂの前面側への突出量が一定の突出量に保たれる。これにより、メダル投入孔２０の奥側の壁面と下扉１１ｂの前面とが略面一となり、メダル投入口１４とメダル投入孔２０とが対峙するように、メダル投入部材１５が投入部材挿入孔３０から突出する。
【００２６】
また、メダル投入部材１５が投入部材挿入孔３０から突出した状態では、上壁２３ａが下扉１１ｂの上面に重なるように投入部材挿入孔３０の位置が設定されている。このため、上扉１１ａ及び下扉１１ｂが閉じられた状態では、上壁２３ａ、側壁２３ｂ、２３ｄ及び下壁２３ｃ、台座２２によって投入部材挿入孔３０が塞がれ、投入部材挿入孔３０から筐体１２内へゴト器具が挿入されることを防止される。
【００２７】
操作パネル１３とメダル投入口１４とが連続する部分には曲面状に傾斜する傾斜面１４ａが形成されている。このため、寝かされた状態のメダルが操作パネル１３と上でメダル投入口１４に向けてスライドされると、スライドされたメダルが傾斜面１４ａで自重によってメダル投入口１４に向かうため、メダルの投入をスムーズに行うことができる。
【００２８】
投入部材挿入孔３０を囲む四方の内壁面には、メダル投入部材１５の挿入方向（下扉１１ｂの前後方向）に沿ってゴム製のゴム板３２が５個ずつ取り付けられている。ゴム板３２の長さは、投入部材挿入孔３０にメダル投入部材１５が挿入されたときに、ゴム板３２の先端がメダル投入部材１５の外面に接触してゴム板３２が屈曲し、かつ、メダル投入部材１５の投入部材挿入孔３０への挿入を妨げない程度に設定されている。これにより、投入部材挿入孔３０に挿入されたメダル投入部材１５はゴム板３２によって四方から押圧され、メダル投入部材１５と投入部材挿入孔３０との隙間から例えばピアノ線などの異物が筐体１２内に挿入されることを防止できる。なお、取り付けるゴム板３２の数は適宜数にしてよい。
【００２９】
次に、上記構成のスロットマシン１０の作用について説明する。図４に示すように、遊技を行うにあたってメダル投入口１４にメダルを投入する場合には、メダル投入孔２０又はメダル投入部材１５と操作パネル１３との隙間のいずれかからメダルが投入される。
【００３０】
メダル投入孔２０からメダルを投入する場合、例えば起立された状態のメダル３３を束にし、束のメダル３３をメダル投入部材１５の上面に載せる。そして、束のメダル３３をメダル投入孔２０に向かうように水平方向（図４中矢印Ａ方向）にスライドさせる。スライドされた束のメダル３３は、先頭のメダル３３から順次メダル投入孔２０を介してメダル投入口１４に投入される。なお、起立した状態のメダル３３を１枚ずつメダル投入孔２０からメダル投入口１４に投入してもよい（図５参照）。メダル投入孔２０の奥側の壁面と下扉１１ｂの前面とが略面一となっているため、この方法でメダル３３を投入した場合は、メダルを下扉１１ｂの前面に押し当てながらメダル投入口２０に投入することが可能になり、メダル３３の投入をスムーズに行うことができる。
【００３１】
メダル投入部材１５と操作パネル１３との隙間からメダルを投入する場合、起立された状態のメダル３４を束にし、束のメダル３４を操作パネル１３と接地する部分がメダル投入部材１５と操作パネル１３との間に進入するように、水平方向（図中矢印Ｂ方向）にスライドさせる。そして、先頭のメダル３４がメダル投入部材１５の先端に突き当てられるとメダル投入部材１５の段差部２１に当接して斜めに傾き、突き当てられたメダル３４が傾斜面１４ａに沿ってメダル投入口１４にガイドされる。これにより、先頭のメダル３４が順次メダル投入口１４に投入される。
【００３２】
なお、この方法では、図５に示すように、寝かせた状態のメダル３５を束にして、束のメダル３５を矢印Ｂ方向にスライドさせてもよい。この場合、２〜４段目までのメダル３５がそれぞれ階段部２１の段差に突き当たり、それぞれの下段に位置するメダル３５が階段部２１の段差に沿って次第にメダル投入口１４に近づいた状態となる。そして、操作パネル１３に接地している最下段のメダル３５が傾斜面１４ａにガイドされてメダル投入口１４に投入される。
【００３３】
以上に示した方法のいずれかでメダル投入口１４へのメダルの投入が行われるが、例えばメダルが束の状態のままメダル投入口１４に投入されるなどの原因によって、メダル投入口１４でメダルが詰まった場合には、図６に示すように、メダル詰まりを解消するために下扉１１ｂが開放される。下扉１１ｂが開放されると、バネ２４の付勢力によりメダル投入部材１５は下扉１１ｂの背面側に突出する。これにより、メダル投入口１４が露呈され、メダル詰まりを容易に解消することができる。
【００３４】
メダル詰まりを解消した後に下扉１１ｂが閉じられると、後壁３１ａによって台座２２がバネ２４の付勢力に抗して背面側から押圧される。これにより、メダル投入部材１５が投入部材挿入孔３０から下扉１１ｂの前面側に突出し、メダル投入口２０からメダルを投入することが可能な状態となる。
【００３５】
なお、図７に示すように、操作パネル１３とメダル投入部材１５の下面までの距離（最短距離）Ｌ１は、メダル１枚分の厚みＨよりも大きく、メダル２枚分の厚み２Ｈよりも小さくすることが好ましい。これにより、メダルが２枚重なった状態でメダル投入部材１５と操作パネル１３との隙間に進入することを防止でき、メダル投入部材１５と操作パネル１３との隙間、あるいは、メダル投入口１４で２枚重なった状態のメダルが詰まることを防止できる。
【００３６】
また、側壁１６の操作パネル１３からの高さＬ２は、メダル投入部材１５の上面のメダルの接触点から側壁１６の上面までの高さＬ３がメダルの直径Ｄと略同一となるように設定することが好ましい。これにより、メダル投入部材１５の上面で起立した状態で束にされたメダル３３をスライドさせた場合に、束のメダル３３がメダル投入部材１５の側方に落下してしまうことを防止することが可能になり、束のメダルを安定してメダル投入孔２０から投入できる。さらに、メダル投入孔２０にゴト器具が挿入された場合に、ゴト器具の向きに変化をつけようとしても、ゴト器具が側壁１６とメダル投入孔２０の縁とで干渉され、ゴト器具を筐体１２の奥深くまで挿入することを困難にすることができる。
【００３７】
また、図８に示すように、メダル投入口１４からメダル投入部材１５の先端までの距離Ｌ４はメダルの直径Ｄを越えないことが好ましい。これにより、メダル投入部材１５と操作パネル１３との隙間でスライドさせた寝かされた状態のメダル３５が静止してしまった場合に、静止したメダル３５が除去しやすくなる。また、寝かされた状態で束にしたメダル３５をスライドさせる距離が最大でもメダルの直径Ｄと同等の距離になるので、メダルの投入に伴う疲労を軽減することができる。なお、メダル投入部材１５の上面に起立した状態のより多くの枚数のメダル３４を束にして載せることが可能となるように、距離Ｌ４は可能な限り長くすることが好ましい。
【００３８】
また、両側壁１６の間隔Ｌ５は、メダルの直径Ｄよりも僅かに大きい程度が好ましい。これにより、起立した状態で束にされたメダル３４をメダル投入孔２０に向けてスライドさせたときに、側壁１６でメダル３４の束が支持されずに崩れてしまうことを防止できる。
【００３９】
上記実施形態では、メダル投入孔を板状に形成してメダルの両面を前後に向けた状態で投入できるようにしたが、例えばメダル投入孔を十字の柱状に形成し、メダルの両面を前後に向けた状態と左右に向けた状態との二つの状態のいずれかで投入できるようにしてもよい。この場合、メダル投入口１４にメダルをガイドする傾斜面を、その幅方向における一方の端部が他方の端部よりも下方に位置するように傾斜させ、この部分をメダル投入口１４に向けてさらに下方に傾斜させれば、メダルの両面を左右に向けた状態のメダルを回転させてメダル投入口１４に投入することができる。
【００４０】
上記実施形態では、段差部２１を３段の段差で構成したが、段差部の段差が適宜の段数にしてよい。また、段差部に代えて、メダル投入部材の下面を、先端からメダル投入孔に向かうにつれて次第に操作パネルとの距離が近づくように傾斜をつけた傾斜面としてもよい。
【００４１】
上記実施形態では、台座２２と下扉１１ｂとをバネ２４によって連結したが、例えば台座２２を下扉１１ｂにネジによって固定するなど、適宜の方法で台座と下扉を連結してよい。また、投入部材挿入孔を設けずに、メダル投入部材を下扉の前面に固定してもよい。さらには、筐体を開閉する扉は上扉と下扉とに分割せずに１枚と扉で構成してもよい。
【００４２】
なお、本発明はリール駆動タイプのスロットマシンに限らず、液晶パネルなどを用いたスロットマシンなど、メダルを投入する遊技機であれば等しく適用することができる。
【図面の簡単な説明】
【００４３】
【図１】スロットマシンの外観を示す斜視図である。
【図２】メダル投入部材の構成を示す斜視図である。
【図３】上扉の下部及び下扉の上部の拡大図である。
【図４】下扉を閉じた状態のメダル投入口の縦断面図である。
【図５】寝かせた状態のメダルの束を投入する際のメダルの状態を示す説明図である。
【図６】下扉を開放した状態のメダル投入口の縦断面図である。
【図７】メダル投入部材と側壁との正面図である。
【図８】メダル投入部材と側壁との上面図である。
【符号の説明】
【００４４】
１０  スロットマシン
１１  前面扉
１１ａ  上扉
１１ｂ  下扉
１２  筐体
１３  操作パネル
１４  メダル投入口
１５  メダル投入部材
１６  側壁
２０  メダル投入孔
２１  段差部
２４  バネ
３０  投入部材挿入孔
３１  切り欠き
３１ａ  後壁
３３，３４，３５  メダル
【図１】
2006043355.tif 000003
【図２】
2006043355.tif 000004
【図３】
2006043355.tif 000005
【図４】
2006043355.tif 000006
【図５】
2006043355.tif 000007
【図６】
2006043355.tif 000008
【図７】
2006043355.tif 000009
【図８】
2006043355.tif 000010